(57)【特許請求の範囲】
【請求項１】
吊元支持体に扉体を移動自在に保持したノンレール引戸において、扉体は縦框と横框を矩形状に枠組みして形成し、扉体の移動方向と平行に配設された上横框の吊元支持体側にローラ嵌合部を一体成形し、該ローラ嵌合部内の上下中央位置に隔壁を形成し、該隔壁の上下位置にガイド部を一体的に形成し、ローラ嵌合部に嵌入して隔壁を挟持し且つ夫々のガイド部に圧接する上下に間隔をおいて配置した保持ローラを吊元支持体に設けたことを特徴とするノンレール引戸。
【請求項２】
連結した複数の扉体を吊元支持体に移動自在に保持したノンレール引戸において、扉体は縦框と横框を矩形状に枠組みして形成し、隣設する一方の扉体の移動方向と平行に配設された上横框の吊元支持体側にローラ嵌合部を一体成形し、該ローラ嵌合部内の上下中央位置に隔壁を形成し、該隔壁の上下位置にガイド部を一体的に形成し、ローラ嵌合部に嵌入して隔壁を挟持し且つ夫々のガイド部に圧接する上下に間隔をおいて配置した保持ローラを他方の扉体に設けたことを特徴とするノンレール引戸。
【発明の詳細な説明】
【０００１】
【発明の属する技術分野】
この発明は扉体を吊元支持体に保持した引戸であって、特に路面に扉体をガイドするレールを敷設する必要のないノンレール引戸に関するものである。
【０００２】
【従来の技術】
従来、吊元支持体となる吊元支柱の上下位置にローラを設け、これらローラによって扉体を上下方向から挟持して、吊元支柱に対して扉体を移動自在としたノンレール引戸が提案されている（特開平８−８６１６９号公報等）。
このようなノンレール引戸は、扉体が吊元支柱にのみ保持されているので、路面の不陸に関係なく扉体の開閉操作が可能なものであり、レールを施工する必要がなく工期をも短縮できるものであった。
また、扉体により開閉される通路部にはレールによる段差が生じないので、バリアフリー化に適した商品としても注目されている。
【０００３】
しかしながら、ノンレール引戸は扉体を最大移動させた場合、吊元支柱を中心とした扉体の回転モーメントが大きくなり、扉体の先端に垂れが生じる難点があった。特に通路部を閉成操作する際に、扉体の戸当り端に設けた錠装置と戸当り柱に設けた錠受金具との間に位置ズレが生じ、施錠操作が困難であったり、錠装置を破損する虞を有するものであった。
【０００４】
ノンレール引戸の扉体先端に垂れが生じる原因の一つとしては、図７に示したように、縦框Ｂと横框Ｃを矩形状に枠組みした扉体Ａにおいて、縦框Ｂと横框Ｃは通常螺子手段によって連結されている構成であるため、本来なら太線Ｘで示した形状となるところ、扉体Ａそのものの自重によって扉体Ａに歪みが生じる。このような扉体Ａを吊元支持体の上下に位置するローラにより挟持して移動させた場合、扉体Ａの歪みの影響によるガタツキが扉体Ａとローラとの間に発生し、扉体Ａの先端に垂れが生じるものであった。
このような扉体先端の垂れの現象は、扉体そのものの剛性不足に起因することでもあるので、扉体の枠組みを溶接あるいは鋳造する等して一体的に形成することも考えられるが、引戸における材料費のコストアップ並びに製造工数の増大を招くほか、扉体の重量が大きくなり過ぎて実用化には適さないものであった。
【０００５】
本件特許出願人は特開平９−２１７５７２号公報に示したように、ノンレール引戸の扉体の垂れを防止するため、扉体の動きに連動する扉体押上部材を設けたノンレール引戸を提案している。これによると、扉体の移動時における扉体先端の垂れは防止できるものの、扉体そのものを押上げる扉体押上部材が別途必要となるため、引戸装置そのものが大きく且つ構造が複雑となり、一般家庭向けの引戸門扉には不向きなものであった。
【０００６】
【発明が解決しようとする課題】
この発明の目的は、扉体を補強したり、垂れ防止装置等を用いることなく、簡単な構成により扉体の垂れを効果的に抑制し得る、ノンレール引戸を提供することにある。
【０００７】
【課題を解決するための手段】
本発明者等は、このような事情に鑑み鋭意検討を重ねた結果、吊元支持体に扉体を移動自在に保持したノンレール引戸において、扉体は縦框と横框を矩形状に枠組みして形成し、扉体の移動方向と平行に配設された上横框の吊元支持体側にローラ嵌合部を一体成形し、該ローラ嵌合部内の上下中央位置に隔壁を形成し、該隔壁の上下位置にガイド部を一体的に形成し、ローラ嵌合部に嵌入して隔壁を挟持し且つ夫々のガイド部に圧接する上下に間隔をおいて配置した保持ローラを吊元支持体に設けたことによって、所期の目的を達成したものである。
【０００８】
さらに請求項２に記載の本発明は、連結した複数の扉体を吊元支持体に移動自在に保持したノンレール引戸において、扉体は縦框と横框を矩形状に枠組みして形成し、隣設する一方の扉体の移動方向と平行に配設された上横框の吊元支持体側にローラ嵌合部を一体成形し、該ローラ嵌合部内の上下中央位置に隔壁を形成し、該隔壁の上下位置にガイド部を一体的に形成し、ローラ嵌合部に嵌入して隔壁を挟持し且つ夫々のガイド部に圧接する上下に間隔をおいて配置した保持ローラを他方の扉体に設けたものである。
【０００９】
本発明は、ローラに作用する力によってローラ嵌合部が押し広げられることのないよう、上横框におけるローラ嵌合部内の上下中央位置に隔壁を形成し、該隔壁の上下位置にガイド部を形成し、保持ローラにより隔壁を挟持したものである。
【００１０】
扉体は縦框と横框を矩形状に枠組みして形成し、上横框にローラ嵌合部を一体成形したことにより、部品点数を増加することなく、外観の良好なノンレール引戸とすることができる。
【００１１】
【作用】
この発明によれば、扉体を形成する扉体の移動方向と平行となる上横框にローラ嵌合部を一体成形し、該ローラ嵌合部内の上下中央位置に隔壁を形成し、該隔壁の上下位置にガイド部を一体的に形成し、ローラ嵌合部に嵌入して隔壁を挟持し且つ夫々のガイド部に圧接する上下に間隔をおいて配置した保持ローラを吊元支持体あるいは隣接する扉体に設けているので、ガイド部と保持ローラとの間においては扉体の歪みの影響によるガタツキが発生せず、吊元支持体あるいは隣接する扉体から上横框を確実に送り出すことができ、扉体の移動端における垂れを抑えることができる。
【００１２】
【発明の実施の形態】
発明の実施の形態を実施例にもとづき図面を参照して説明する。
図１ないし図６は本発明ノンレール引戸の実施例であり、図中１はノンレール引戸であり、２は扉体、３は吊元支持体である吊元支柱、４は戸当り支柱を表わす。なお本実施例においては、吊元扉体２１と戸当り扉体２２の二つの扉体２を連結した連結式引戸について表わしているが、一つの扉体あるいは３枚以上の扉体を用いた連結引戸としても本発明を逸脱するものではない。また扉体２は吊元支柱３に保持させているが、吊元支柱に変えて塀等の固定構造物に保持させることも可能である。
【００１３】
扉体２の上部には上横框５が扉体２の幅方向にわたって配設されており、扉体２は上横框５と縦框２３と下横框２４を枠組みして矩形状に形成され、上横框５と下横框２４間には縦桟２５が配設されている。
上横框５の吊元支柱３側にはローラ嵌合部５１が開口して形成され、ローラ嵌合部５１の上下中央位置には隔壁５２が形成されている。上横框５はアルミニウム製形材により形成され、図６に示したとおりローラ嵌合部５１と隔壁５２は一体的に形成されている。隔壁５２の上下位置にはガイド部５３が平行状に対向して配設されており、ガイド部５３は断面略Ｖ字状を呈している。
下横框２４もアルミニウム製形材により形成され、横框２４の吊元支柱３側に振れ止めローラ嵌合部６が開口して形成されている。
【００１４】
吊元支柱３の上部には、上下に間隔をおいた２個の保持ローラ３１が二箇所に配設されており、さらに吊元支柱３の下部には振れ止めローラ３２が二箇所に配設されている。
吊元支柱３に設けられた保持ローラ３１は、吊元扉体２１のローラ嵌合部５１に嵌入しており、上側に位置する保持ローラ３１が隔壁５２の上面に形成したガイド部５３に圧接し、下側に位置する保持ローラ３１は隔壁５２の下面に形成したガイド部５３に圧接している。
従って、隔壁５２は上側に位置する保持ローラ３１と下側に位置する保持ローラ３１により挟持された状態となっており、保持ローラ３１の転動によってスムーズに吊元扉体２１を移動することができる。
【００１５】
振れ止めローラ３２は、下横框２４の振れ止めローラ嵌合部６に嵌入しており、振れ止めローラ嵌合部６内に形成したガイド部６１に圧接している。ガイド部６１も断面略Ｖ字状を呈しており、ガイド部６１に圧接する振れ止めローラ３２によって、扉体２の移動方向を規制している。
【００１６】
吊元扉体２１の上横框５において、ローラ嵌合部５１が形成された側とは反対側の面に、上下に間隔をおいた２個の保持ローラ３１が二箇所に配設されており、下横框２４の振れ止めローラ嵌合部６が形成された側とは反対側の面に、振れ止めローラ３２が二箇所に設けられている。
【００１７】
さらに、戸当り扉体２２も吊元扉体２１と同様にローラ嵌合部５１と振れ止めローラ嵌合部６が形成され、ローラ嵌合部５１の隔壁５２に形成したガイド部５３に吊元扉体２１の保持ローラ３１が圧接し、振れ止めローラ嵌合部６のガイド部６１と吊元扉体２１の振れ止めローラ３２とが圧接する。
【００１８】
以上の構成からなる本発明ノンレール引戸１によれば、吊元支柱３に設けた保持ローラ３１と振れ止めローラ３２により吊元扉体２１は移動自在に支持され、さらに吊元扉体２１に設けた保持ローラ３１と振れ止めローラ３２により戸当り扉体２２が移動自在に支持され、図３に示した開成状態と閉成状態との間において、扉体２が移動自在となる。
保持ローラ３１によって保持される上横框５はアルミニウム製形材により一体的に形成されているので、扉体２の歪みの影響による保持ローラ３１とガイド部５３とのガタツキが発生することなく、上横框５は保持ローラ３１に確実に保持された状態を保って移動するので、戸当り扉体２２の移動端における垂れを抑えることができる。
【００１９】
なお、上記実施例において、振れ止めローラ嵌合部６と振れ止めローラ３２は、扉体２の移動方向を規制するためだけのものであるから、係合ピンと係合溝との連結態様に変えることも可能であり、また敢えて設けなくても構わない。
【００２０】
【発明の効果】
本発明ノンレール引戸によれば、扉体に配設した上横框が吊元支持体に設けた保持ローラにより保持され、上横框は一体的な構造を呈しているので、扉体の歪みによる影響が上横框と保持ローラとの間には発生せず、扉体の移動端における垂れを効果的に抑えることができ、しかもコンパクトな構成とすることができるなど実践面の効果は多大である。
【図面の簡単な説明】
【図１】本発明ノンレール引戸の正面図
【図２】本発明ノンレール引戸の側面図
【図３】本発明ノンレール引戸の閉成状態と開成状態とを表わす平面図
【図４】本発明ノンレール引戸の扉体を表わす正面図
【図５】本発明ノンレール引戸の要部縦断面図
【図６】本発明ノンレール引戸の上横框を表わす断面図
【図７】扉体の歪み発生状況を表わす参考図
【符号の説明】
１      ノンレール引戸
２      扉体
３      吊元支柱（吊元支持体）
５      上横框
３１      保持ローラ
５１      ローラ嵌合部
５２      隔壁
５３      ガイド部
【図１】
0003623433.tif 000002
【図２】
0003623433.tif 000003
【図３】
0003623433.tif 000004
【図４】
0003623433.tif 000005
【図５】
0003623433.tif 000006
【図６】
0003623433.tif 000007
【図７】
0003623433.tif 000008